(57)【要約】【課題】  放送波と通信回線を利用した新たなサービスを提供することができるコンテンツ送信装置ならびにコンテンツ受信携帯端末、コンテンツ受信プログラム、コンテンツ受信方法を提供する。【解決手段】  コンテンツ送信装置１（１Ａ）は、放送波によってコンテンツを送信すると共に、当該コンテンツを受信側の端末で受信可能にする信号を、通信回線を介して送信するコンテンツ送信装置１（１Ａ）であって、放送波送信手段３と、通信信号送受信手段７と、放送デコーダ有効化信号生成手段９と、を備えた。【選択図】      図１
2005159457.tif 000002
【特許請求の範囲】
【請求項１】
放送波によってコンテンツを送信すると共に、当該コンテンツを受信側の端末で受信可能にする信号を、通信回線を介して送信するコンテンツ送信装置であって、
前記コンテンツを放送波によって送信する放送波送信手段と、
前記受信側の端末毎に契約された、コンテンツの受信に関する受信契約情報に基づいて、当該受信側の端末に内蔵されている放送デコーダを有効に機能させる放送デコーダ有効化信号を生成する放送デコーダ有効化信号生成手段と、
この放送デコーダ有効化信号生成手段で生成された放送デコーダ有効化信号を、通信回線を介して送信する通信信号送信手段と、
を備えることを特徴とするコンテンツ送信装置。
【請求項２】
放送波によってコンテンツを送信すると共に、当該コンテンツに施したスクランブルを解除する鍵を、通信回線を介して送信するコンテンツ送信装置であって、
前記コンテンツにスクランブルを施すためのスクランブル鍵を生成するスクランブル鍵生成手段と、
このスクランブル鍵生成手段によって生成したスクランブル鍵によって、前記コンテンツにスクランブルを施すスクランブル手段と、
このスクランブル手段によってスクランブルが施されたスクランブルコンテンツを放送波によって送信する放送波送信手段と、
この放送波送信手段によって送信されたスクランブルコンテンツを受信する受信側の端末毎に契約された、コンテンツの受信に関する受信契約情報に基づいて、当該コンテンツに施されたスクランブルを解除するスクランブル鍵を含むスクランブル鍵関連信号を、通信回線を介して送信する通信信号送信手段と、
を備えることを特徴とするコンテンツ送信装置。
【請求項３】
放送波によってコンテンツを送信すると共に、当該コンテンツを受信した受信側から送信される信号を、通信回線を介して受信するコンテンツ送信装置であって、
前記コンテンツを放送波によって送信する放送波送信手段と、
前記受信側で、前記コンテンツを予め設定された一定条件で受信した際に、当該受信側から送信されるコンテンツ受信信号を、通信回線を介して受信するコンテンツ受信信号受信手段と、
を備えることを特徴とするコンテンツ送信装置。
【請求項４】
放送波によるコンテンツを受信すると共に、当該コンテンツを受信可能にする信号を、通信回線を介して受信するコンテンツ受信携帯端末であって、
前記通信回線を介して、前記コンテンツを受信可能にする放送デコーダ有効化信号を受信する通信信号送受信手段と、
この通信信号送受信手段で受信された放送デコーダ有効化信号に含まれる前記コンテンツの受信に関する受信契約情報と、前記コンテンツに付加されて送信された当該コンテンツを識別するコンテンツ識別子とに基づいて、前記コンテンツが受信可能であるか否かを判定する受信契約保持判定手段と、
この受信契約保持判定手段で判定された判定結果に基づいて機能し、前記コンテンツを放送波により受信する放送波受信手段と、
この放送波受信手段で受信されたコンテンツを出力する映像音声出力手段と、
を備えることを特徴とするコンテンツ受信携帯端末。
【請求項５】
放送波によるコンテンツを受信すると共に、当該コンテンツに施したスクランブルを解除する鍵を、通信回線を介して受信するコンテンツ受信携帯端末であって、
前記通信回線を介して、前記コンテンツのスクランブルを解除するスクランブル鍵を含むスクランブル鍵関連信号を受信する通信信号送受信手段と、
この通信信号送受信手段で受信されたスクランブル鍵関連信号に含まれる前記コンテンツの受信に関する受信契約情報と、前記コンテンツに付加されて送信された当該コンテンツを識別するコンテンツ識別子とに基づいて、前記コンテンツのスクランブルを解除可能であるか否かを判定する受信契約保持判定手段と、
この受信契約保持判定手段で判定された判定結果に基づいて、前記スクランブル鍵で受信した前記コンテンツのスクランブルを解除して出力する放送波受信手段と、
この放送波受信手段でスクランブルの解除されたコンテンツを出力する映像音声出力手段と、
を備えることを特徴とするコンテンツ受信携帯端末。
【請求項６】
放送波によるコンテンツを受信すると共に、当該コンテンツを視聴した際に、当該コンテンツの視聴に関する信号を、通信回線を介して送信するコンテンツ受信携帯端末であって、
前記コンテンツを受信する放送波受信手段と、
この放送波受信手段で受信したコンテンツを出力する映像音声出力手段と、
前記放送波受信手段で前記コンテンツが予め設定された一定条件で受信された際に、前記コンテンツを受信したことを示すコンテンツ受信信号を、通信回線を介して送信するコンテンツ受信信号送信手段と、
を備えることを特徴とするコンテンツ受信携帯端末。
【請求項７】
放送波によるコンテンツを、予め設定した、コンテンツの受信に関する受信契約情報に基づいて受信するコンテンツ受信携帯端末であって、
前記受信契約情報を記憶する受信契約情報記憶手段と、
この受信契約情報記憶手段に記憶されている受信契約情報に基づいて、前記コンテンツを受信する放送波受信出力手段と、
この放送波受信出力手段で受信されたコンテンツを出力する映像音声出力手段と、
を備えることを特徴とするコンテンツ受信携帯端末。
【請求項８】
放送波によるコンテンツに施したスクランブルを解除する鍵を、予め取得しておいて、当該コンテンツを受信するコンテンツ受信携帯端末であって、
前記コンテンツに施したスクランブルを解除するスクランブル鍵を含むスクランブル鍵関連情報を記憶するスクランブル鍵関連情報記憶手段と、
このスクランブル鍵関連情報記憶手段に記憶されているスクランブル鍵関連情報に基づいて、受信したコンテンツに施されているスクランブルを解除する放送波受信出力手段と、
この放送波受信出力手段でスクランブルが解除されたコンテンツを出力する映像音声出力手段と、
を備えることを特徴とするコンテンツ受信携帯端末。
【請求項９】
前記コンテンツに予め多重されている、当該コンテンツを視聴した際に支払う視聴料金の課金単位グループを識別する識別信号に基づいて、前記放送波受信出力手段の有効化を制御する放送波制御手段を備えることを特徴とする請求項４または請求項７に記載のコンテンツ受信携帯端末。
【請求項１０】
前記コンテンツに予め多重されている、当該コンテンツを視聴した際に支払う視聴料金の課金単位グループを識別する識別信号に基づいて、前記放送波受信出力手段によるスクランブルの解除を制御する放送波制御手段を備えることを特徴とする請求項５または請求項８に記載のコンテンツ受信携帯端末。
【請求項１１】
放送波によるコンテンツを受信すると共に、当該コンテンツに施したスクランブルを解除する鍵を、通信回線を介して受信する端末を、
前記通信回線を介して、前記コンテンツのスクランブルを解除するスクランブル鍵を含むスクランブル鍵関連信号を受信する通信信号送受信手段、
この通信信号送受信手段で受信されたスクランブル鍵関連信号に含まれる前記コンテンツの受信に関する受信契約情報と、前記コンテンツに付加されて送信された当該コンテンツを識別するコンテンツ識別子とに基づいて、前記コンテンツのスクランブルを解除可能であるか否かを判定する受信契約保持判定手段、
この受信契約保持判定手段で判定された判定結果に基づいて、前記スクランブル鍵で受信した前記コンテンツのスクランブルを解除して出力する放送波受信手段、
この放送波受信手段でスクランブルの解除されたコンテンツを出力する映像音声出力手段、
として機能させることを特徴とするコンテンツ受信プログラム。
【請求項１２】
放送波によるコンテンツを受信すると共に、当該コンテンツに施したスクランブルを解除する鍵を、通信回線を介して受信するコンテンツ受信方法であって、
前記通信回線を介して、前記コンテンツのスクランブルを解除するスクランブル鍵を含むスクランブル鍵関連信号を受信する通信信号送受信ステップと、
この通信信号送受信ステップにて受信されたスクランブル鍵関連信号に含まれる前記コンテンツの受信に関する受信契約情報と、前記コンテンツに付加されて送信された当該コンテンツを識別するコンテンツ識別子とに基づいて、前記コンテンツのスクランブルを解除可能であるか否かを判定する受信契約保持判定ステップと、
この受信契約保持判定ステップにて判定された判定結果に基づいて、前記スクランブル鍵で受信した前記コンテンツのスクランブルを解除して出力する放送波受信ステップと、
この放送波受信ステップにてスクランブルの解除されたコンテンツを出力する映像音声出力ステップと、
を含むことを特徴とするコンテンツ受信方法。
【発明の詳細な説明】
【技術分野】
【０００１】
本発明は、コンテンツを送信するコンテンツ送信装置ならびに、コンテンツを受信するコンテンツ受信携帯端末、コンテンツ受信プログラム、コンテンツ受信方法に関する。
【背景技術】
【０００２】
一般に、利用者が携帯して、通話可能な携帯電話、ＰＨＳ、携帯型ノートパソコン、ＰＤＡ等の携帯端末が知られており、従来、この携帯端末には、数インチの画面を有す液晶表示画面と、複数和音等が出力可能な小型の音声スピーカとが内蔵されており（例えば、特許文献１参照）、通信回線を利用して、他の携帯端末と通話したり、ウェブサイトに接続したりする機能が備えられている。
これらの液晶表示画面や音声スピーカは、固定型のテレビと比べて遜色のない表現力を備えるまでに高性能化している。
【０００３】
【特許文献１】特開２００２−９９６８号公報（段落００２５〜００２８、図１）
【発明の開示】
【発明が解決しようとする課題】
【０００４】
こういった携帯端末は、近年、様々な機能を搭載することで、多数のサービスを展開しているが、放送波を利用した新しいサービスの展開が模索されており、当該携帯端末の製造コストを可能な限り増加させることのないサービスの展開が望まれている。
また、新しいサービスを展開する場合であって、特に携帯端末が携帯電話等である場合には、当該携帯電話で採用されている現行の課金決済を利用したい、或いは、類似の課金決済形態を利用したいとの要望もある。
【０００５】
さらに、放送波によって１秒間当たりに送信可能なデータ量（携帯端末向けの地上デジタル放送波を利用する場合）と、通信回線によって１秒間当たりに送信可能なデータ量とには制限（伝送容量）があり、放送波と通信回線の両方を併用したとしても、伝送コストを抑制したいとの要望がある。
【０００６】
さらにまた、近年、地上デジタル放送の開始に伴い、携帯端末等、絶えず移動する受信機（移動体）に対して、安定した（受像の乱れが少ない）コンテンツが可能な地上デジタル放送波の特性を積極的に活用し、放送コンテンツを携帯端末向けに送信して、新たなサービスを展開したいという社会的な要請がある。
【０００７】
そこで、本発明は、前記した社会的な要請に応え、放送波と通信回線を利用した新たなサービスを提供することができるコンテンツ送信装置ならびにコンテンツ受信携帯端末、コンテンツ受信プログラム、コンテンツ受信方法を提供することを目的とする。
【課題を解決するための手段】
【０００８】
前記課題を解決するため、請求項１記載のコンテンツ送信装置は、放送波によってコンテンツを送信すると共に、当該コンテンツを受信側の端末で受信可能にする信号を、通信回線を介して送信するコンテンツ送信装置であって、放送波送信手段と、通信信号受信手段と、放送デコーダ有効化信号生成手段と、通信信号送信手段と、を備える構成とした。
【０００９】
かかる構成によれば、コンテンツ送信装置は、放送波送信手段によって、コンテンツを放送波として送信する。つまり、映像音声等の放送コンテンツをアナログ放送、デジタル放送等の放送波によって送信する。そして、このコンテンツ送信装置は、放送デコーダ有効化信号生成手段によって、受信側の端末毎に契約された、コンテンツの受信に関する受信契約情報に基づいて、受信側の端末に内蔵されている放送デコーダを有効に機能させる放送デコーダ有効化信号を生成し、この放送デコーダ有効化信号を、通信信号送信手段によって、通信回線を介して送信する。すなわち、この放送デコーダ有効化信号を、受信側の端末は受信しないと、コンテンツを受信（視聴）することはできない。この受信契約情報は、コンテンツ１つずつ、若しくは、コンテンツのカテゴリ毎、または、コンテンツを提供している提供者（放送局）、若しくは、コンテンツを提供している提供者の系列（民放の系列局、日本放送協会（ＮＨＫ）の全国放送局郡）毎に締結される受信契約である。なお、このコンテンツ送信装置は、ＰＵＳＨ型の送信装置、つまり、送信側から任意のタイミングで放送デコーダ有効化信号を送信するタイプであるが、ＰＵＬＬ型、つまり、受信側からの要求信号を受信した後に、放送デコーダ有効化信号を送信するタイプであってもよい。
【００１０】
請求項２記載のコンテンツ送信装置は、放送波によってコンテンツを送信すると共に、当該コンテンツに施したスクランブルを解除する鍵を、通信回線を介して送信するコンテンツ送信装置であって、スクランブル鍵生成手段と、スクランブル手段と、放送波送信手段と、通信信号受信手段と、通信信号送信手段と、を備える構成とした。
【００１１】
かかる構成によれば、コンテンツ送信装置は、スクランブル鍵生成手段によって、スクランブル鍵を生成し、スクランブル手段によって、生成したスクランブル鍵によって、コンテンツをスクランブル（暗号化処理）する。そして、このコンテンツ送信装置は、放送波送信手段によって、コンテンツを放送波として送信する。その後、このコンテンツ送信装置は、通信信号送信手段によって、スクランブル鍵を含むスクランブル鍵関連信号を、通信回線を介して送信する。すなわち、このスクランブル鍵関連信号を、受信側の端末が受信して、コンテンツのスクランブルを解除しないと、正当な状態のコンテンツを視聴することができない。
【００１２】
請求項３記載のコンテンツ送信装置は、放送波によってコンテンツを送信すると共に、当該コンテンツを受信した受信側から送信される信号を、通信回線を介して受信するコンテンツ送信装置であって、放送波送信手段と、コンテンツ受信信号受信手段と、を備える構成とした。
【００１３】
かかる構成によれば、コンテンツ送信装置は、放送波送信手段によって、コンテンツを放送波として送信する。そして、このコンテンツ送信装置は、当該コンテンツを受信（視聴）した受信側の端末から送信されたコンテンツ受信信号を、コンテンツ受信信号受信手段によって受信する。この後、例えば、受信側の端末毎に、コンテンツの受信記録としてコンテンツ受信信号の集計をとり、コンテンツの視聴料金（受信料金）の算出に役立てることができる。
【００１４】
請求項４記載のコンテンツ受信携帯端末は、放送波によるコンテンツを受信すると共に、当該コンテンツを受信可能にする信号を、通信回線を介して受信するコンテンツ受信携帯端末であって、通信信号送受信手段と、受信契約保持判定手段と、放送波受信出力手段と、映像音声出力手段と、を備える構成とした。
【００１５】
かかる構成によれば、コンテンツ受信携帯端末は、通信信号受信手段によって、コンテンツを受信可能にする放送デコーダ有効化信号を受信する。この放送デコーダ有効化信号は、当該コンテンツ受信携帯端末に内蔵されている放送デコーダを起動させるための信号である。そして、コンテンツ受信携帯端末は、受信契約保持判定手段によって、当該放送デコーダ有効化信号に含まれている受信契約情報を保持すると共に、当該受信契約情報とコンテンツに付加されている識別子であるコンテンツ識別子とに基づいて、送信側から送信されているコンテンツを受信可能であるか否かを判定する。なお、コンテンツ識別子は、コンテンツ（番組）単位を識別するだけではなく、当該コンテンツが提供されるチャンネル（例えば、系列局、放送事業者）単位を識別するものである。
【００１６】
そして、このコンテンツ受信携帯端末は、受信契約保持判定手段で判定された判定結果に基づいて、放送波受信出力手段を機能させ（放送波受信手段を構成する一つの要素である放送デコーダを有効に機能させ）、コンテンツを受信し、映像音声出力手段によって、受信したコンテンツを出力する。この映像出力手段は、例えば、液晶の表示画面と、出力スピーカ、または、イヤホン、ステレオホン等に接続される音声出力端子とによって構成されるものである。
【００１７】
このコンテンツ受信携帯端末で受信される放送波は、例えば、地上デジタル放送の放送波を指している。但し、アナログ放送の放送波を受信することも可能であるが、この場合、表示画面が乱れる（雑音の混入を除去できない）こともある。
【００１８】
なお、このコンテンツ受信携帯端末は、送信側から送信された放送デコーダ有効化信号を受動的に受信して、放送波受信出力手段を機能させるものであるが、例えば、受信側のコンテンツ受信携帯端末から要求信号を送信側に送信して、放送デコーダ有効化信号を受信する手法もある。この場合、要求信号は、受信契約（視聴契約）に係る信号、つまり、利用者が利用しているコンテンツ受信携帯端末のＩＤ、視聴するコンテンツ（例えば、コンテンツを提供している放送事業者、または、各コンテンツ）、契約期間等となる。また、この要求信号を、送信側、例えば、コンテンツを提供している放送事業者、コンテンツ受信携帯端末の管理運営を行う事業者設備（携帯電話会社等の通信基地局）等に送信する。
【００１９】
請求項５記載のコンテンツ受信携帯端末は、放送波によるコンテンツを受信すると共に、当該コンテンツに施したスクランブルを解除する鍵を、通信回線を介して受信するコンテンツ受信携帯端末であって、通信信号送受信手段と、受信契約保持判定手段と、放送波受信出力手段と、映像音声出力手段と、を備える構成とした。
【００２０】
かかる構成によれば、コンテンツ受信携帯端末は、通信信号受信手段によって、スクランブル鍵を含むスクランブル鍵関連信号を受信する。続いて、このコンテンツ受信携帯端末は、受信契約保持判定手段によって、通信信号受信手段で受信されたスクランブル鍵関連信号に含まれている受信契約情報を保持すると共に、当該受信契約情報とコンテンツに付加された当該コンテンツを識別するコンテンツ識別子とに基づいて、コンテンツのスクランブルを解除可能であるか否かを判定する。そして、コンテンツ受信携帯端末は、放送波受信出力手段によって、受信契約保持判定手段で判定された判定結果に基づいて、受信したコンテンツのスクランブルをスクランブル鍵で解除して、映像音声出力手段によって表示出力する。
【００２１】
請求項６記載のコンテンツ受信携帯端末は、放送波によるコンテンツを受信すると共に、当該コンテンツを視聴した際に、当該コンテンツの視聴に関する信号を、通信回線を介して送信するコンテンツ受信携帯端末であって、放送波受信出力手段と、映像音声出力手段と、コンテンツ受信信号送信手段と、を備える構成とした。
【００２２】
かかる構成によれば、コンテンツ受信携帯端末は、放送波受信出力手段によって、放送波によるコンテンツを受信し、受信したコンテンツを映像音声出力手段によって、出力する。そして、このコンテンツ受信携帯端末は、予め設定した一定条件（例えば、一定時間以上）を満たしてコンテンツを受信した際に、当該コンテンツを受信したことを示すコンテンツ受信信号を、コンテンツ受信信号送信手段によって、通信回線を介して送信する。予め設定した一定条件の例として、コンテンツを一定時間以上視聴した場合としたときには、例えば、５分以上であり、この５分以上、コンテンツを受信（視聴）した場合、当該コンテンツに係るコンテンツ受信信号（いわゆる視聴情報）を、通信回線を介して（通じて）送信する。
【００２３】
請求項７記載のコンテンツ受信携帯端末は、放送波によるコンテンツを、予め設定したコンテンツの受信に関する受信契約情報に基づいて受信するコンテンツ受信携帯端末であって、受信契約情報記憶手段と、放送波受信出力手段と、映像音声出力手段と、を備える構成とした。
【００２４】
かかる構成によれば、コンテンツ受信携帯端末は、受信契約情報記憶手段に記憶されている受信契約情報に基づいて、放送波受信出力手段によって、コンテンツを受信し、映像音声出力手段によって表示出力する。つまり、コンテンツ受信携帯端末を購入した購入時に、契約した受信契約（受信契約情報）に基づいて、当該端末で受信可能なコンテンツが設定されることとなる。
【００２５】
請求項８記載のコンテンツ受信携帯端末は、放送波によるコンテンツに施したスクランブルを解除する鍵を、予め取得しておいて、当該コンテンツを受信するコンテンツ受信携帯端末であって、スクランブル鍵関連情報記憶手段と、放送波受信出力手段と、映像音声出力手段と、を備える構成とした。
【００２６】
かかる構成によれば、コンテンツ受信携帯端末は、スクランブル鍵関連情報記憶手段に記憶されているスクランブル鍵関連情報に基づいて、放送波受信出力手段によって、受信したコンテンツに施されているスクランブルを解除し、映像音声出力手段によって表示出力する。つまり、コンテンツ受信携帯端末を購入した購入時に、予め取得したスクランブル鍵関連情報に基づいて、当該端末で受信したコンテンツのスクランブルが解除されることとなる。
【００２７】
請求項９記載のコンテンツ受信携帯端末は、請求項４または請求項７に記載のコンテンツ受信携帯端末において、前記コンテンツに予め多重されている、当該コンテンツを視聴した際に支払う視聴料金の課金単位グループを識別する識別信号に基づいて、前記放送波受信出力手段の有効化を制御する放送波制御手段を備えることを特徴とする。
【００２８】
かかる構成によれば、コンテンツ受信携帯端末は、コンテンツを視聴した際に支払う視聴料金の課金単位グループ、例えば、報道番組やドラマなどコンテンツのカテゴリ、コンテンツを提供する放送局の系列等を識別する識別信号に基づいて、放送波制御手段によって、放送波受信出力手段の有効化を制御する。つまり、コンテンツ受信携帯端末が、ある地域Ａから別の地域Ｂに移動した場合、ある地域Ａで受信していたコンテンツを提供している放送局のチャンネルが、別の地域Ｂで異なるような場合、当該コンテンツを受信できるように、放送波受信出力手段を有効に機能させる。
【００２９】
請求項１０記載のコンテンツ受信携帯端末は、請求項５または請求項８に記載のコンテンツ受信携帯端末において、前記コンテンツに予め多重されている、当該コンテンツを視聴した際に支払う視聴料金の課金単位グループを識別する識別信号に基づいて、前記放送波受信出力手段によるスクランブルの解除を制御する放送波制御手段を備えることを特徴とする。
【００３０】
かかる構成によれば、コンテンツ受信携帯端末は、コンテンツを視聴した際に支払う視聴料金の課金単位グループ、例えば、報道番組やドラマなどコンテンツのカテゴリ、コンテンツを提供する放送局の系列等を識別する識別信号に基づいて、放送波制御手段によって、放送波受信出力手段によるスクランブルの解除を制御する。つまり、コンテンツ受信携帯端末が、ある地域Ａから別の地域Ｂに移動した場合、ある地域Ａで受信していたコンテンツを提供している放送局のチャンネルが、別の地域Ｂで異なるような場合、当該コンテンツを視聴できるように、コンテンツがスクランブルされていれば、このスクランブルを解除する。
【００３１】
請求項１１記載のコンテンツ受信プログラムは、放送波によるコンテンツを受信すると共に、当該コンテンツに施したスクランブルを解除する鍵を、通信回線を介して受信する端末を、通信信号送受信手段、受信契約保持判定手段、放送波受信手段、映像音声出力手段、として機能させる構成とした。
【００３２】
かかる構成によれば、コンテンツ受信プログラムは、通信信号受信手段によって、スクランブル鍵を含むスクランブル鍵関連信号を装置に受信させる。続いて、このコンテンツ受信プログラムは、受信契約保持判定手段によって、通信信号受信手段で受信されたスクランブル関連信号に含まれている受信契約情報を保持すると共に、当該受信契約情報とコンテンツに付加された当該コンテンツを識別するコンテンツ識別子とに基づいて、コンテンツのスクランブルを解除可能であるか否かを判定する。そして、コンテンツ受信プログラムは、放送波受信手段によって、受信契約保持判定手段で判定された判定結果に基づいて、受信したコンテンツのスクランブルをスクランブル鍵で解除して、映像音声出力手段によって表示出力させる。
【００３３】
請求項１２記載のコンテンツ受信方法は、放送波によるコンテンツを受信すると共に、当該コンテンツに施したスクランブルを解除する鍵を、通信回線を介して受信するコンテンツ受信方法であって、通信信号送受信ステップと、受信契約保持判定ステップと、放送波受信ステップと、映像音声出力ステップと、を含む手順とした。
【００３４】
かかる手順によれば、コンテンツ受信方法は、通信信号受信ステップにおいて、スクランブル鍵を含むスクランブル鍵関連信号を受信する。続いて、このコンテンツ受信方法は、受信契約保持判定ステップにおいて、通信信号受信ステップにて受信されたスクランブル関連信号に含まれている受信契約情報を保持すると共に、当該受信契約情報とコンテンツに付加された当該コンテンツを識別するコンテンツ識別子とに基づいて、コンテンツのスクランブルを解除可能であるか否かを判定する。そして、コンテンツ受信方法は、放送波受信ステップにおいて、受信契約保持判定ステップにて判定された判定結果に基づいて、受信したコンテンツのスクランブルをスクランブル鍵で解除して、映像音声出力ステップにおいて出力する。
【発明の効果】
【００３５】
請求項１に記載の発明によれば、コンテンツを放送波によって送信すると共に、受信側の端末に内蔵されている放送デコーダを有効に機能させる放送デコーダ有効化信号を、通信回線を介して送信することで、受信側では、通信回線を介して受信した放送デコーダ有効化信号に基づいて、放送デコーダが有効になり、放送波によるコンテンツを受信（視聴）することができ、受信側の端末の利用者に対して、放送波と通信回線を利用した新たなサービスを提供することができる。また、送信する対象数が多く一人（受信側の端末１台）当たりの伝送コストの小さい放送波によってコンテンツ（データ量大）を提供し、放送波と比較して伝送コストは高いが、受信側の端末個別に伝送できる通信回線によって放送デコーダ有効化信号（データ量小）を提供することで、トータルの伝送コストを抑制することができる。
【００３６】
請求項２に記載の発明によれば、コンテンツを放送波によって送信すると共に、コンテンツに施したスクランブルを解除するスクランブル鍵関連信号を、通信回線を介して送信することで、受信側では、通信回線を介して受信したスクランブル鍵関連信号に基づいて、コンテンツに施されているスクランブルが解除され、放送波によるコンテンツを視聴することができ、受信側の端末の利用者に対して、放送波と通信回線を利用した新たなサービスを提供することができる。また、送信する対象数が多く一人（受信側の端末１台）当たりの伝送コストの小さい放送波によってコンテンツ（データ量大）を提供し、放送波と比較して伝送コストは高いが、受信側の端末個別に伝送できる通信回線によってスクランブル鍵関連信号（データ量小）を提供することで、トータルの伝送コストを抑制することができる。
【００３７】
請求項３に記載の発明によれば、コンテンツを放送波によって送信すると共に、受信側にてコンテンツが一定条件を満たして、受信（視聴）された場合に送信されたコンテンツ受信信号を受信することで、送信側の事業者と受信側の利用者との間で事前に契約を結ぶ必要が無く、送信側の事業者は、受信側でコンテンツを視聴するための新たな信号（放送デコーダ有効化信号）を送信することなく、コンテンツにスクランブルを施すことなく、当該コンテンツを提供することができ、受信側におけるコンテンツの利用状況を把握することができる。
【００３８】
請求項４に記載の発明によれば、放送波受信出力手段の放送デコーダを有効にする放送デコーダ有効化信号を受信することで、放送波によるコンテンツを受信することができ、当該端末の利用者は、放送波と通信回線を利用した新たなサービスを享受することができる。
【００３９】
請求項５、１１、１２に記載の発明によれば、コンテンツに施されたスクランブルを解除するスクランブル鍵関連信号を、通信回線を介して、受信することで、コンテンツの施されているスクランブルをスクランブル鍵によって解除し、放送波によるコンテンツを視聴することができ、当該端末の利用者は、放送波と通信回線を利用した新たなサービスを享受することができる。
【００４０】
請求項６に記載の発明によれば、放送波によるコンテンツを、一定条件を満たして、受信（視聴）した際に、コンテンツを受信（視聴）したことを示すコンテンツ受信信号を、通信回線を介して、送信側に送信することで、送信側では、受信側におけるコンテンツ利用状況を把握することができる。
【００４１】
請求項７に記載の発明によれば、予め設定した、コンテンツの受信に関する受信契約情報に基づいて、放送波受信出力手段が機能して、放送波によるコンテンツを受信可能になるので、当該端末の利用者は、端末を購入時に結んだ受信契約（受信契約情報）に従って、放送波と通信回線を利用した新たなサービスを享受することができる。
【００４２】
請求項８に記載の発明によれば、予め取得した、コンテンツのスクランブルを解除するスクランブル鍵関連情報に基づいて、放送波受信出力手段で受信したコンテンツのスクランブルを解除することができるので、当該端末の利用者は、端末を購入時に取得したスクランブル鍵関連情報に応じて、放送波と通信回線を利用した新たなサービスを享受することができる。
【００４３】
請求項９、１０に記載の発明によれば、当該端末（端末の利用者）が放送局のサービスエリアを超えて移動しても、コンテンツを識別する識別信号に基づいて、同一（同種）のコンテンツを受信することができる。
【発明を実施するための最良の形態】
【００４４】
次に、本発明の実施形態について、適宜、図面を参照しながら詳細に説明する。
まず、送信側のコンテンツ送信装置の構成について、３つの実施形態と、受信側のコンテンツ受信携帯端末の構成について、５つ実施形態とを説明する。その後、コンテンツ送信装置、コンテンツ受信携帯端末それぞれの動作について説明する。
【００４５】
（コンテンツ送信装置（第一実施形態）の構成）
図１は、コンテンツ送信装置（第一実施形態）のブロック図である。この図１に示すように、コンテンツ送信装置１（１Ａ）は、放送波によってコンテンツを送信すると共に、通信回線を介して（通じて）、受信側の端末（コンテンツ受信携帯端末、詳細は後記）から送信される、コンテンツの受信に関する要求信号を受信し、当該受信側の端末の放送波を受信する機能を起動させる（有効にする）信号である放送デコーダ有効化信号を送信するもので、放送波送信手段３と、識別信号多重手段５と、通信信号送受信手段７と、放送デコーダ有効化信号生成手段９とを備えている。
【００４６】
このコンテンツ送信装置１（１Ａ）の各部分は、放送事業者、携帯端末事業者、または、第三者機関によって、管理運営されるものである。また、実際に想定される運営形態として、放送波送信手段３および識別信号多重手段５を備えた放送事業者設備（放送事業者が管理運営）と、通信信号送受信手段７および放送デコーダ有効化信号生成手段９を備えた携帯端末事業者設備（携帯端末事業者が管理運営）とによって、コンテンツ送信装置１（１Ａ）は別々に構成されてもよい。
【００４７】
放送波送信手段３は、放送情報源であるコンテンツが入力されると、当該コンテンツをストリーム化し、放送波として出力するもので、放送エンコーダ３ａと、放送送信部３ｂと、放送アンテナ３ｃとを備えている。
【００４８】
放送エンコーダ３ａは、入力されたコンテンツをエンコード（符号化）するものである。この実施形態では、放送エンコーダ３ａは、ＭＰＥＧ−２方式の符号化をコンテンツに施すものである。つまり、この放送エンコーダ３ａで符号化されたコンテンツは、コンテンツストリームとなっている。
【００４９】
放送送信部３ｂは、放送エンコーダ３ａで符号化されたコンテンツを、変調、増幅して放送アンテナ３ｃを介して、受信側のコンテンツ受信携帯端末（詳細は後記）に送信するものである。なお、この実施形態では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によって変調されている。また、この放送送信部３ｂでは、コンテンツを識別するためのコンテンツ識別子が、各コンテンツに付加される。ここで言うコンテンツ識別子とは、放送局の識別、チャンネルの識別、番組の種別、番組の識別などコンテンツの識別に関する情報である。
【００５０】
放送アンテナ３ｃは、放送送信部３ｂで変調され、増幅されたコンテンツを出力するものである。なお、放送波が地上デジタル放送波の場合、波長がＵＨＦ（Ｕｌｔｒａ  Ｈｉｇｈ  Ｆｒｅｑｕｅｎｃｙ）であるので、このＵＨＦを送信可能なものとなる。
【００５１】
識別信号多重手段５は、識別信号をエンコードされたコンテンツに多重させるものである。識別信号は、コンテンツを提供している放送事業者、或いは、放送事業者の系列を識別するためのものである。また、この識別信号は、受信側のコンテンツ受信携帯端末でコンテンツを視聴した際に支払う視聴料金の課金単位グレープを識別するものでもある。
【００５２】
通信信号送受信手段７（通信信号送信手段、通信信号受信手段）は、通信回線を介して、受信側のコンテンツ受信携帯端末と、種々の信号を送受信するもので、通信アンテナ７ａと、通信信号受信部７ｂと、通信信号送信部７ｃと、通信信号制御部７ｄとを備えている。
【００５３】
通信アンテナ７ａは、通信回線を介して、コンテンツを受信する受信側のコンテンツ受信携帯端末から送信された要求信号を受信すると共に、放送デコーダ有効化信号生成手段９で生成された放送デコーダ有効化信号を送信するものである。
【００５４】
要求信号は、コンテンツ受信携帯端末に内蔵されている放送波受信出力手段（詳細は後記）の放送デコーダを機能させるための放送デコーダ有効化信号を要求する信号であり、コンテンツ受信携帯端末を識別する識別情報、受信（視聴）したい放送局チャンネル番号、コンテンツそれぞれの識別子等が含まれて成るものである。
【００５５】
放送デコーダ有効化信号は、受信側のコンテンツ受信携帯端末それぞれの放送デコーダを有効に機能（起動）させるための信号である。なお、この放送デコーダ有効化信号には、コンテンツの受信に関して、送信側のコンテンツ送信装置１（１Ａ）を管理運営する事業者と受信側のコンテンツ受信携帯端末の利用者間で契約された受信契約情報が含まれている。
【００５６】
通信信号受信部７ｂは、コンテンツ受信携帯端末から送信された要求信号を復調して、復号し、通信信号制御部７ｄによる制御に従って、放送デコーダ有効化信号生成手段９に出力するものである。
【００５７】
通信信号送信部７ｃは、通信信号制御部７ｄによる制御に従って、放送デコーダ有効化信号生成手段９から出力された放送デコーダ有効化信号を符号化して、変調し、通信アンテナ７ａに出力するものである。
【００５８】
通信信号制御部７ｄは、通信信号送受信手段７の制御を司るもので、通信信号受信手段７ｂおよび通信信号送信手段７ｃに制御信号を送出して、通信信号受信部７ｂから要求信号を放送デコーダ有効化信号生成手段９に、通信信号送信部７ｃから放送デコーダ有効化信号を通信アンテナ７ａに出力させるものである。
【００５９】
なお、受信側のコンテンツ受信携帯端末が通話機能、メール機能等を備えている場合には、この通信信号送受信手段７によって、各コンテンツ受信携帯端末の通信信号がやりとりされることとなる。ここでは、本発明と直接関わりがないので、通話機能、メール機能を実現する手段についての具体的な構成および説明は省略する。
【００６０】
放送デコーダ有効化信号生成手段９は、受信側のコンテンツ受信携帯端末の放送デコーダを有効に機能させる放送デコーダ有効化信号を生成するもので、放送デコーダ有効化信号生成部９ａと、放送デコーダ有効化信号出力部９ｂとを備えている。
【００６１】
放送デコーダ有効化信号生成部９ａは、通信信号送受信手段７から出力された要求信号に基づいて、各コンテンツ受信携帯端末に対応する放送デコーダ有効化信号を生成するものである。つまり、要求信号が、例えば、Ａ放送局のコンテンツを一年間視聴したいという旨のものであれば、放送デコーダ有効化信号は、Ａ放送局のコンテンツについて１年間の間、受信側のコンテンツ受信携帯端末の放送デコーダを有効に機能させる信号となる。
【００６２】
また、この放送デコーダ有効化信号生成部９ａは、受信契約が解除された場合に、放送デコーダ３１ｅの機能を停止させる放送デコーダ無効化信号を生成するものである。この放送デコーダ無効化信号は、放送デコーダ有効化信号と同様な経路で受信側のコンテンツ受信携帯端末に送信される。
【００６３】
放送デコーダ有効化信号出力部９ｂは、放送デコーダ有効化信号生成手段９ａで生成された放送デコーダ有効化信号に、図示を省略した記憶メモリに記憶されている、コンテンツの受信に関する契約である受信契約情報を付加して（関連付けて）記憶すると共に、通信信号送受信手段７に出力するものである。
【００６４】
なお、この実施形態では、放送デコーダ有効化信号生成部９ｂは、要求信号に基づいて、放送デコーダ有効化信号を生成しているが、例えば、図示を省略した記憶メモリに記憶されている、コンテンツの受信に関する契約である受信契約情報に基づいて、放送デコーダ有効化信号を、当該放送デコーダ有効化信号に係るコンテンツが放送波として出力される前に生成して、放送デコーダ有効化信号出力部９ｂで出力する構成としてもよい。
【００６５】
このコンテンツ送信装置１（１Ａ）によれば、放送波送信手段３で、コンテンツが放送波として送信され、放送デコーダ有効化信号生成手段９で、受信側のコンテンツ受信携帯端末からの要求信号に基づいて、または、受信側のコンテンツ受信携帯端末毎に契約された、コンテンツの受信に関する受信契約情報に基づいて、放送デコーダ有効化信号が生成され、この放送デコーダ有効化信号が、通信信号送受信手段７から送信される。このため、受信側のコンテンツ受信携帯端末では、通信回線を介して受信した放送デコーダ有効化信号に基づいて、放送デコーダが有効になり、放送波によるコンテンツを受信（視聴）することができ、受信側のコンテンツ受信携帯端末の利用者に対して、放送波と通信回線を利用した新たなサービスを提供することができる。
【００６６】
（コンテンツ送信装置（第二実施形態）の構成）
図２は、コンテンツ送信装置（第二実施形態）のブロック図である。この図２に示すように、コンテンツ送信装置１（１Ｂ）は、放送波によって、スクランブルしたコンテンツを送信すると共に、通信回線を介して（通じて）、受信側の端末（コンテンツ受信携帯端末、詳細は後記）から送信される、コンテンツの受信に関する要求信号を受信し、当該受信側の端末において、コンテンツに施されたスクランブルを解除するスクランブル鍵関連信号を送信するもので、放送波送信手段３Ｂと、識別信号多重手段５と、通信信号送受信手段７と、スクランブル鍵生成手段１１とを備えている。なお、図１で説明したコンテンツ送信装置１（１Ａ）と同様の構成については、同一の符号を付して、その説明は省略する。
【００６７】
放送波送信手段３Ｂは、入力されたコンテンツをスクランブルして送信するもので、放送エンコーダ３ａと、放送スクランブラ３ｄと、放送送信部３ｂと、放送アンテナ３Ｃとを備えている。
【００６８】
放送スクランブラ３ｄ（スクランブル手段）は、スクランブル鍵生成手段１１で生成されたスクランブル鍵を使用して、放送エンコーダ３ａで符号化されたコンテンツをスクランブル（暗号化処理）するものである。この実施形態では、放送スクランブル３ｄは、暗号化処理した側と、復号処理する側とで、同じ暗号鍵（復号鍵）を使用する共通鍵暗号化方式が採用されている。なお、公開鍵暗号化方式を採用してもよい。
【００６９】
スクランブル鍵生成手段１１は、コンテンツにスクランブル（暗号化処理）を施すスクランブル鍵を生成するもので、スクランブル鍵生成部１１ａと、関連情報蓄積部１１ｂと、スクランブル鍵保持部１１ｃと、スクランブル鍵出力部１１ｄとを備えている。
【００７０】
スクランブル鍵生成部１１ａは、関連情報蓄積手段１１ｂから出力される関連情報を参照して、スクランブル鍵を生成するものである。このスクランブル鍵は、一般的に、数秒程度で変更される暗号鍵であり、このスクランブル鍵生成部１１ａは、一旦要求信号を受信すると、関連情報蓄積部１１ｂに蓄積されている関連情報を参照して、スクランブル鍵を生成し続ける（コンテンツの放送時間中）こととなる。
【００７１】
関連情報蓄積部１１ｂは、大容量のハードディスク等によって構成され、コンテンツ識別子等の関連情報を蓄積しており、通信信号送受信手段７から出力された要求信号が入力されると、スクランブル鍵生成部１１ａに関連情報を出力すると共に、スクランブル鍵保持部１１ｃで保持されているスクランブル鍵に関連情報を付加したスクランブル鍵関連信号をスクランブル出力部１１ｄに出力するものである。
【００７２】
スクランブル鍵保持部１１ｃは、大容量のハードディスク等によって構成され、スクランブル鍵生成部１１ａによって生成されたスクランブル鍵を保持すると共に、放送スクランブラ３ｄに出力するものである。
【００７３】
スクランブル鍵出力部１１ｄは、スクランブル鍵生成部１１ａによって生成されたスクランブル鍵を含むスクランブル鍵関連信号を通信信号送受信手段７に出力するものである。つまり、スクランブル鍵生成手段１１ａで生成されたスクランブル鍵に関連情報蓄積部１１ｂに蓄積されている関連情報を付加して、スクランブル鍵関連信号として出力するものである。
【００７４】
なお、このスクランブル鍵関連信号（スクランブル鍵関連情報）は、コンテンツの受信に関して、送信側のコンテンツ送信装置１（１Ｂ）を管理運営する事業者と受信側のコンテンツ受信携帯端末の利用者間で契約された受信契約情報が含まれている。また、このスクランブル鍵関連信号（スクランブル鍵関連情報）は、従来の限定受信システムにおいてＥＭＭ（Ｅｎｔｉｔｌｅｍｅｎｔ  Ｍａｎａｇｅｍｅｎｔ  Ｍｅｓｓａｇｅ、個別情報）と呼ばれるものを使用することができる。
【００７５】
このコンテンツ送信装置１（１Ｂ）によれば、スクランブル鍵生成手段１１で、スクランブル鍵が生成され、放送波送信手段３Ｂの放送スクランブラ３ｄで、スクランブル鍵が使用され、コンテンツがスクランブル（暗号化処理）される。そして、放送波送信手段３Ｂで、スクランブルコンテンツが放送波として送信され、通信信号送受信手段７で、スクランブル鍵を含むスクランブル鍵関連信号が、通信回線を介して送信される。このため、受信側のコンテンツ受信携帯端末では、通信回線を介して受信したスクランブル鍵関連信号を利用することで、スクランブルされた放送波によるコンテンツをデスクランブルすることができ、受信側のコンテンツ受信携帯端末の利用者に対して、放送波と通信回線を利用した新たなサービスを提供することができる。
【００７６】
（コンテンツ送信装置（第三実施形態）の構成）
図３は、コンテンツ送信装置（第三実施形態）のブロック図である。この図３に示すように、コンテンツ送信装置１（１Ｃ）は、放送波によって、コンテンツを送信すると共に、通信回線を介して（通じて）、受信側の端末（コンテンツ受信携帯端末、詳細は後記）から送信される、コンテンツを受信したことを示すコンテンツ受信信号を受信するもので、放送波送信手段３と、識別信号多重手段５と、通信信号送受信手段７（コンテンツ受信信号受信手段）と、コンテンツ受信記録蓄積手段１３と、視聴料金算出手段１５とを備えている。なお、図１で説明したコンテンツ送信装置１（１Ａ）と同様の構成については、同一の符号を付して、その説明は省略する。
【００７７】
コンテンツ受信記録蓄積手段１３は、大容量のハードディスク等によって構成され、受信側のコンテンツ受信携帯端末において、コンテンツが一定条件を満たして受信（視聴）された場合に送信されるコンテンツ受信信号を、各コンテンツ受信携帯端末の受信ログ（受信記録）として、蓄積するものである。なお、この受信ログの蓄積は、コンテンツ受信携帯端末を利用する受信者のプライバシーに関わることであるので、例えば、視聴料金（受信料金）を支払っている受信者に対しては記録せず、視聴料金（受信料金）を支払っていない受信者に対しては記録するといった制御を、事業者の判断によって行うことができる。
【００７８】
このコンテンツ受信記録蓄積手段１３に蓄積される受信記録は、例えば、コンテンツ受信携帯端末を識別する端末識別情報と、受信したコンテンツを識別するコンテンツ識別情報とがそれぞれ関連付けられているものである。
【００７９】
視聴料金算出手段１５は、コンテンツ受信記録蓄積手段１３に蓄積されている受信記録に基づいて、コンテンツを受信した受信料金（視聴料金）を算出して、通知信号として、当該コンテンツ送信装置１（１Ｃ）の外部に、または、通信信号送受信手段７を介して、受信側のコンテンツ受信携帯端末に送信するものである。つまり、受信側で受信（視聴）したコンテンツ毎に予め設定されている受信料金（視聴料金）の合計を算出して、一定期間毎（月締め）に通知（請求）するものである。また、この視聴料金算出手段１５は、コンテンツ受信携帯端末を購入した際に、契約した受信契約（視聴契約）に関する受信契約情報に基づいて算出される受信料金（視聴料金）を、一定期間毎（月締め）に通知（請求）するものである。なお、この視聴料金算出手段１５から出力される通知信号は、当該コンテンツ送信装置１（１Ｃ）の必須の構成要件ではなく、受信側のコンテンツ受信携帯端末の利用者からの要求に基づいて、或いは、受信契約を結んだ時点で、当該通知信号を返信するか否かを予め決定しておくものである。
【００８０】
このコンテンツ送信装置１（１Ｃ）によれば、放送波送信手段３で、コンテンツが放送波として送信され、当該コンテンツを受信（視聴）した受信側のコンテンツ受信携帯端末から送信されたコンテンツ受信信号が、通信信号送受信手段７で受信され、コンテンツ受信記録蓄積手段１３で受信記録として蓄積される。そして、視聴料金算出手段１５で、一定期間毎の視聴料金が算出され、通知信号として通知される。このため、コンテンツを送信している送信側の事業者と受信側の利用者との間で事前に契約を結ぶ必要が無く、送信側の事業者は、受信側でコンテンツを視聴するための新たな信号（放送デコーダ有効化信号、スクランブル鍵関連信号）を送信することなく、コンテンツにスクランブルを施すことなく、当該コンテンツを提供することができると共に、受信側におけるコンテンツの利用状況を把握することができる。
【００８１】
（コンテンツ受信携帯端末（第一実施形態）の構成）
図４は、コンテンツ受信携帯端末（第一実施形態）のブロック図である。この図４に示すように、コンテンツ受信携帯端末２１（２１Ａ）は、放送波によるコンテンツを受信すると共に、通信回線を介して（通じて）、当該端末２１（２１Ａ）に内蔵されているチューナ（放送波受信出力手段３１）を有効に機能させる放送デコーダ有効化信号を受信するもので、操作手段２３と、映像音声入力手段２５と、通信信号送受信手段２７と、受信契約保持判定手段２９と、放送波受信出力手段３１と、映像音声出力手段３３とを備えている。なお、このコンテンツ受信携帯端末２１（２１Ａ）は、当該端末２１（２１Ａ）の利用者が携帯（持ち運び）できるように小型軽量に設計されている。
【００８２】
操作手段２３は、当該端末２１（２１Ａ）の利用者が操作する、数字、文字を入力する複数の数字文字ボタンと、映像音声出力手段３３の表示画面で表示される画面上のカーソルを移動させて、当該カーソルを指示するカーソル・決定ボタンと、画面を切り替えたり、特殊操作を行う複数の切替操作ボタンとによって構成されており、これらを操作することによって操作信号を通信信号送受信手段２７と、放送波受信出力手段３１とに出力するものである。
【００８３】
この操作手段２３の各種のボタンを操作することによって、図示を省略した記憶手段に記憶しているアプリケーションを利用したり、通信回線を通じて、Ｗｅｂサイトにアクセスしたり、電子メールを作成して送信したり、電話機能を利用して、電話したりすることができる。
【００８４】
また、図示を省略した記憶手段に記憶されているアプリケーションには、放送波によって、コンテンツ送信装置１から出力されているコンテンツを選択して、受信するための「ブロードキャストアプリケーション」が記憶されており、この操作手段２３のカーソル・決定ボタンを所定の手順で操作することによって、この「ブロードキャストアプリケーション」が起動する。なお、この「ブロードキャストアプリケーション」を使用して、コンテンツを受信（視聴）する仕方は、コンテンツ受信携帯端末２１（２１Ａおよび後記する２１Ｂ〜２１Ｅ）で、コンテンツを受信（視聴）する場合の一つの態様である。      
【００８５】
映像音声入力手段２５は、図示を省略した撮影手段（例えば、内蔵型のＣＣＤカメラ）および集音手段（例えば、通話機能を備えている場合の受話器部分）によって構成されており、当該端末２１（２１Ａ）の利用者が撮影した映像（映像データ）や、発声した音声（音声データ）を、通信信号送受信手段２７に入力するものである。
【００８６】
通信信号送受信手段２７（通信信号送信手段、通信信号受信手段）は、通信回線を介して、種々の通信信号（要求信号、放送デコーダ有効化信号等）を送受信するもので、通信信号制御部２７ａと、通信信号エンコーダ２７ｂと、通信信号送信部２７ｃと、通信アンテナ２７ｄと、通信信号受信部２７ｅと、通信信号デコーダ２７ｆとを備えている。
【００８７】
通信信号制御部２７ａは、通信回線を介して（通信電波から）入力された通信信号に含まれる制御信号と、操作手段２３から入力された操作信号とに基づいて、通信信号送受信手段２７の制御を司るもので、通信信号送信部２７ｃと通信信号受信部２７ｅとに制御信号を送出して、操作手段２３によって入力された操作信号（要求信号）と、通信信号エンコーダ２７ｂで符号化された映像データ、音声データとを通信アンテナ２７ｄに、通信アンテナ２７ｄで受信された放送デコーダ有効化信号を受信契約保持判定手段２９に出力させるものである。
【００８８】
通信信号エンコーダ２７ｂは、映像音声入力手段２５によって、入力された映像データ、音声データを通信信号用にエンコード（符号化）して、通信信号送信部２７ｃに出力するものである。
【００８９】
通信信号送信部２７ｃは、通信信号制御部２７ａによる制御に従って、操作手段２３によって入力された要求信号、通信信号エンコーダで符号化された映像データ、音声データを変調して、通信アンテナ２７ｄに出力するものである。
【００９０】
通信アンテナ２７ｄは、通信回線を介して、通信信号送信部２７ｃで変調された要求信号、映像データ、音声データを、コンテンツを送信する送信側のコンテンツ送信装置１に送信すると共に、当該コンテンツ送信装置１（１Ａ）から送信された放送デコーダ有効化信号を受信するものである。
【００９１】
通信信号受信部２７ｅは、コンテンツ送信装置１（１Ａ）から送信された放送デコーダ有効化信号を復調して、受信契約保持判定手段２９に出力すると共に、コンテンツ送信装置１から送信された映像データ、音声データを復調して、通信信号デコーダ２７ｆに出力するものである。
【００９２】
通信信号デコーダ２７ｆは、通信信号受信部２７ｅで復調された映像データ、音声データをデコード（復号）して、映像音声出力手段３３に出力するものである。
このコンテンツ受信携帯端末２１（２１Ａ）が通話機能やメール機能を備えている場合には、音声データ、各種のテキストデータが通信信号送受信手段２７によって、通信回線を介して送受信されることとなる。
【００９３】
受信契約保持判定手段２９は、通信信号送受信手段２７の通信信号受信部２７ｅから出力された放送デコーダ有効化信号に含まれている受信契約情報を保持すると共に、受信したコンテンツに付加されている、コンテンツを識別するコンテンツ識別子とに基づいて、放送波受信出力手段３１の放送デコーダ（詳細は後記）を有効にする（起動させる）か否かを判定するもので、受信契約判定部２９ａと、受信契約情報保持部２９ｂとを備えている。
【００９４】
受信契約判定部２９ａは、受信契約情報とコンテンツ識別子とに基づいて、放送波受信出力手段３１の放送デコーダ（詳細は後記）を有効にする（起動させる）か否かを判定するものである。この受信契約判定部２９ａは、例えば、受信契約情報によって、受信可能なコンテンツのコンテンツ識別子と、現在、放送受信出力手段３１で受信しているコンテンツのコンテンツ識別子とを常時、比較しており、これらが一致した場合に、放送デコーダを有効に機能させる起動信号を、放送波受信出力手段３１に出力する。
【００９５】
受信契約情報保持部２９ｂは、不揮発性メモリ等によって構成されており、放送デコーダ有効化信号に含まれている受信契約情報を保持するものである。
【００９６】
放送波受信出力手段３１は、放送波を受信し、検波、復調して、映像音声出力手段３３に出力するもので、放送制御部３１ａと、放送アンテナ３１ｂと、放送受信部３１ｃと、放送デコーダ有効化スイッチ３１ｄと、放送デコーダ３１ｅとを備えている。
【００９７】
放送制御部３１ａ（放送制御手段）は、操作手段２３からの操作信号に基づいて、放送波受信出力手段３１の制御を司るもので、放送受信部３１ｃを制御する制御信号を出力するものである。
【００９８】
放送アンテナ３１ｂは、送信側のコンテンツ送信装置１から送信された、放送波によるコンテンツを受信して、放送受信部３１ｃに出力するものである。なお、この放送アンテナ３１ｂは、アナログ放送波、デジタル放送波を受信可能にコンパクトに構成されているものである。
【００９９】
放送受信部３１ｃは、放送アンテナ３１ｂで受信された放送波によるコンテンツを、復調して放送デコーダ有効化スイッチ３１ｄに出力するものである。また、この放送受信部３１ｃは、コンテンツに付加されているコンテンツを識別するコンテンツ識別子を、当該コンテンツから分離して、受信契約保持判定手段２９の受信契約判定部２９ａに出力するものである。
【０１００】
放送デコーダ有効化スイッチ３１ｄは、放送受信部３１ｃから入力された復調後のコンテンツを、受信契約保持判定手段２９の受信契約判定部２９ａから出力された起動信号と共に放送デコーダ３１ｅに出力するものである。なお、この実施形態では、受信契約保持判定手段２９の受信契約判定部２９ａから起動信号が出力されるまでは、放送受信部３１ｃで復調されたコンテンツは、放送デコーダ３１ｅには入力されない。
【０１０１】
なお、放送デコーダ有効化信号は、通常、受信契約毎に１回のみ送信側から送られるものである。つまり、この受信契約が自動的に更新される自動更新契約なら１回きり、受信契約を解除する場合には、送信側から、放送デコーダ３１ｅの機能を停止させる放送デコーダ無効化信号が送信されることとなり、この放送デコーダ無効化信号を受信した時点で、放送デコーダ３１ｅの機能は停止する。
【０１０２】
放送デコーダ３１ｅは、受信契約保持判定手段２９の受信契約判定部２９ａから出力された起動信号によって起動（有効に機能）し、放送デコーダ有効化スイッチ３１ｄから出力された復調後のコンテンツを復号して、映像音声出力手段３３に出力するものである。
【０１０３】
映像音声出力手段３３は、映像（映像データ）、テキストデータ等を表示するための液晶等の表示画面と、音声（音声データ）を出力する出力スピーカとによって構成されており、放送波受信出力手段３１の放送デコーダ３１ｅでデコード（復号）されたコンテンツと、通信信号送受信手段２７の通信信号デコーダ２７ｆでデコード（復号）された映像データおよび音声データとを表示出力するものである。この映像音声出力手段３３の表示画面には、例えば、電子メール、ダウンロードした画像、コンテンツが表示され、映像音声出力手段３３の出力スピーカには、通話機能を利用した際の着信音が出力されたり、コンテンツの音声出力がなされる。
【０１０４】
このコンテンツ受信携帯端末２１（２１Ａ）によれば、通信信号送受信手段２７で、コンテンツを受信可能にする放送デコーダ有効化信号が受信される。受信契約保持判定手段２９で、放送デコーダ有効化信号に含まれている受信契約情報と、コンテンツに付加されている識別子であるコンテンツ識別子とに基づいて、コンテンツ送信装置１から送信されているコンテンツが受信可能であるか否かが判定され、受信契約保持判定手段２９で判定された判定結果に基づいて、放送波受信出力手段３１の放送デコーダ３１ｅを機能させ、コンテンツが受信され、映像音声出力手段３３で、受信したコンテンツが出力される。このため、放送波受信出力手段３１の放送デコーダ３１ｅを有効にする放送デコーダ有効化信号を受信することで、放送波によるコンテンツを受信することができ、当該端末２１（２１Ａ）の利用者は、放送波と通信回線を利用した新たなサービスを享受することができる。
【０１０５】
（コンテンツ受信携帯端末（第二実施形態）の構成）
図５は、コンテンツ受信携帯端末（第二実施形態）のブロック図である。この図５に示すように、コンテンツ受信携帯端末２１（２１Ｂ）は、放送波によるスクランブルされたコンテンツを受信すると共に、通信回線を介して（通じて）、スクランブルを解除する鍵を受信するもので、操作手段２３と、映像音声入力手段２５と、通信信号送受信手段２７と、受信契約保持判定手段２９と、放送波受信出力手段３１Ｂと、映像音声出力手段３３とを備えている。なお、このコンテンツ受信携帯端末２１（２１Ｂ）は、当該端末２１（２１Ｂ）の利用者が携帯（持ち運び）できるように小型軽量に設計されている。
また、図４で説明したコンテンツ受信携帯端末２１（２１Ａ）と同様の構成については、同一の符号を付して、その説明は省略する。
【０１０６】
放送波受信出力手段３１Ｂは、スクランブルコンテンツを受信して、受信契約保持判定手段２９からスクランブル鍵が出力された場合に、スクランブルコンテンツのスクランブルを解除して映像音声出力手段３３に出力するもので、放送制御部３１ａと、放送アンテナ３１ｂと、放送受信部３１ｃと、放送デスクランブラ３１ｆと、放送デコーダ３１ｅとを備えている。
【０１０７】
放送デスクランブラ３１ｆは、放送受信部３１ｃで復調されたスクランブルコンテンツを受信契約保持判定手段２９から出力されたスクランブル鍵（デスクランブル鍵）で復号するものである。
【０１０８】
すなわち、受信契約保持判定手段２９では、スクランブル鍵関連信号に含まれている受信契約情報と、スクランブルコンテンツに付加されているコンテンツ識別子（コンテンツ識別子はスクランブルされていない）とを比較判定し、受信契約情報によって契約されているコンテンツ識別子と、現在、放送波受信出力手段３１で受信しているコンテンツのコンテンツ識別子とが一致した場合に、スクランブル鍵を放送デスクランブラ３１ｆに出力する。
【０１０９】
このコンテンツ受信携帯端末２１（２１Ｂ）によれば、通信信号送受信手段２７で、スクランブル鍵を含むスクランブル鍵関連信号が受信され、受信契約保持判定手段によって、受信されたスクランブル鍵関連信号に含まれている受信契約情報と、スクランブルコンテンツに付加された当該スクランブルコンテンツを識別するコンテンツ識別子とに基づいて、コンテンツのスクランブルが解除可能であるか否かが判定され、放送波受信出力手段３１Ｂで、受信契約保持判定手段２９で判定された判定結果に基づいて、受信したスクランブルコンテンツのスクランブルがスクランブル鍵で解除されて、映像音声出力手段３３で表示出力される。このため、放送波受信出力手段３１Ｂの放送デスクランブラ３１ｆによって、通信回線を介して得たスクランブル鍵が利用されることで、放送波によるスクランブルコンテンツのデスクランブルでき、当該端末２１（２１Ｂ）の利用者は、放送波と通信回線を利用した新たなサービスを享受することができる。
【０１１０】
（コンテンツ受信携帯端末（第三実施形態）の構成）
図６は、コンテンツ受信携帯端末（第三実施形態）のブロック図である。この図６に示すように、コンテンツ受信携帯端末２１（２１Ｃ）は、放送波によるコンテンツを受信すると共に、通信回線を介して（通じて）、当該コンテンツを受信（視聴）したことを示すコンテンツ受信信号を送信するもので、操作手段２３と、映像音声入力手段２５と、通信信号送受信手段２７（コンテンツ受信信号送信手段）と、放送波受信出力手段３１Ｃと、映像音声出力手段３３と、コンテンツ受信通知手段３５とを備えている。なお、このコンテンツ受信携帯端末２１（２１Ｃ）は、当該端末２１（２１Ｃ）の利用者が携帯（持ち運び）できるように小型軽量に設計されている。
また、図４で説明したコンテンツ受信携帯端末２１（２１Ａ）と同様の構成については、同一の符号を付して、その説明は省略する。
【０１１１】
放送波受信出力手段３１Ｃは、コンテンツを受信して、復調し、復号して映像音声出力手段３３に出力すると共に、当該コンテンツに付加されているコンテンツ識別子をコンテンツ受信通知手段３５に出力するものである。
【０１１２】
コンテンツ受信通知手段３５は、放送波受信出力手段３１Ｃから映像音声出力手段３３に表示出力されているコンテンツに対して、一定条件を満たした場合（何らかの操作がなされた場合）、例えば、一定時間（例として、５分間）経過した場合や、操作手段２３のカーソル・決定ボタンが押下された場合に、コンテンツを受信（視聴）したことを示すコンテンツ受信信号を生成し、通信信号送受信手段２７に出力するものである。
【０１１３】
このコンテンツ受信信号は、通信信号送受信手段２７の通信信号送信部２７ｃから通信アンテナ２７ｄを介して、送信側のコンテンツ送信装置１に送信されることとなる。なお、このコンテンツ受信信号（視聴情報といえる）がコンテンツを提供している送信側に送信されることで、送信側では、コンテンツの視聴率調査等に利用することができる。
【０１１４】
このコンテンツ受信携帯端末２１（２１Ｃ）によれば、放送波受信出力手段３１Ｃで、放送波によるコンテンツが受信され、受信されたコンテンツが映像音声出力手段３３で出力される。そして、予め設定された一定条件（例えば、一定時間以上）を満たしてコンテンツが受信された際に、当該コンテンツを受信したことを示すコンテンツ受信信号が、通信信号送受信手段２７によって、通信回線を介して送信される。このため、コンテンツを送信した送信側の事業者は、受信側におけるコンテンツの利用状況を把握することができる。
【０１１５】
（コンテンツ受信携帯端末（第四実施形態）の構成）
図７は、コンテンツ受信携帯端末（第四実施形態）のブロック図である。この図７に示すように、コンテンツ受信携帯端末２１（２１Ｄ）は、放送波によるコンテンツを受信して、予め設定された受信契約情報に基づいて、コンテンツを出力させるもので、操作手段２３と、映像音声入力手段２５と、通信信号送受信手段２７と、放送波受信出力手段３１Ｄと、映像音声出力手段３３と、受信契約情報保持手段３７とを備えている。なお、このコンテンツ受信携帯端末２１（２１Ｄ）は、当該端末２１（２１Ｃ）の利用者が携帯（持ち運び）できるように小型軽量に設計されている。
また、図４で説明したコンテンツ受信携帯端末２１（２１Ａ）と同様の構成については、同一の符号を付して、その説明は省略する。
【０１１６】
放送波受信出力手段３１Ｄは、コンテンツを受信して、復調し、復号して映像音声出力手段３３に出力するもので、受信契約情報保持部３７に保持されている受信契約情報に基づいて、放送デコーダ有効化スイッチ３１ｄが放送デコーダ３１ｅを有効に機能させる。
【０１１７】
つまり、放送受信部３１ｃから出力されたコンテンツおよび当該コンテンツを識別するためのコンテンツ識別子が受信契約情報保持部３７に入力され、この受信契約情報保持部３７において、現在受信しているコンテンツのコンテンツ識別子と、受信契約情報保持部３７に保持されている受信契約情報に規定されているコンテンツのコンテンツ識別子とが比較判定されることによって、この判定結果が放送デコーダ有効化スイッチ３１ｄで反映され、コンテンツが映像音声出力手段３３に出力可能になる。つまり、コンテンツ識別子が一致した場合に放送デコーダ３１ｅが起動する。
【０１１８】
受信契約情報保持部３７（受信契約情報記憶手段）は、不揮発性メモリ等によって構成されており、受信契約情報を保持するものである。受信契約情報は、コンテンツ受信携帯端末２１（２１Ｄ）を購入した際に、コンテンツを提供する事業者と契約したコンテンツの受信に関する情報であり、コンテンツ毎、コンテンツを制作した系列毎に結んだものである。
【０１１９】
このコンテンツ受信携帯端末２１（２１Ｄ）によれば、受信契約情報保持部３７に保持（記憶）されている受信契約情報に基づいて、放送波受信出力手段３１Ｄで、コンテンツが受信され、映像音声出力手段３３で表示出力される。このため、コンテンツ受信携帯端末２１（２１Ｄ）を購入した際に予め設定した受信契約情報に基づいて、放送波受信出力手段３１Ｄが機能して、放送波によるコンテンツが受信可能になるので、当該端末２１（２１Ｄ）の利用者は、端末２１（２１Ｄ）を購入時に結んだ受信契約（受信契約情報）に従って、放送波と通信回線を利用した新たなサービスを享受することができる。
【０１２０】
（コンテンツ受信携帯端末（第五実施形態）の構成）
図８は、コンテンツ受信携帯端末（第五実施形態）のブロック図である。この図８に示すように、コンテンツ受信携帯端末２１（２１Ｅ）は、放送波によるスクランブルコンテンツを受信して、予め取得したスクランブル鍵関連情報に基づいて、スクランブルコンテンツをデスクランブルして出力させるもので、操作手段２３と、映像音声入力手段２５と、通信信号送受信手段２７と、放送波受信出力手段３１Ｅと、映像音声出力手段３３と、スクランブル鍵関連情報記憶手段３９とを備えている。なお、このコンテンツ受信携帯端末２１（２１Ｅ）は、当該端末２１（２１Ｅ）の利用者が携帯（持ち運び）できるように小型軽量に設計されている。
また、図５で説明したコンテンツ受信携帯端末２１（２１Ｂ）と同様の構成については、同一の符号を付して、その説明は省略する。
【０１２１】
放送波受信出力手段３１Ｅは、スクランブルコンテンツを受信して、復調し、デスクランブルし、復号して映像音声出力手段３３に出力するものであり、この放送波受信出力手段３１Ｅの放送デスクランブラ３１ｆによって、スクランブル鍵関連情報記憶手段３９に記憶（保持）されているスクランブル鍵関連情報（スクランブル鍵）に基づいて、スクランブルコンテンツがデスクランブルされる。
【０１２２】
スクランブル鍵関連情報記憶手段３９は、不揮発性メモリ等によって構成され、コンテンツ受信携帯端末２１（２１Ｅ）を購入時に、予め受信するコンテンツを設定（決定）することによって配布された、スクランブル鍵を含むスクランブル鍵関連情報を記憶するものである。
【０１２３】
このコンテンツ受信携帯端末２１（２１Ｅ）によれば、スクランブル鍵関連情報記憶手段３９に記憶されているスクランブル鍵関連情報に基づいて、放送波受信出力手段３１Ｅの放送デスクランブラ３１ｆによって、受信したコンテンツに施されているスクランブルが解除され、映像音声出力手段３３で表示出力される。このため、コンテンツ受信携帯端末２１（２１Ｅ）を購入した際に予め取得したスクランブル鍵関連情報に基づいて、放送波受信出力手段３１Ｅの放送デスクランブラ３１ｆによって、スクランブルコンテンツのスクランブルが解除されるので、当該端末２１（２１Ｅ）の利用者は、端末２１（２１Ｅ）を購入時に取得したスクランブル鍵関連情報に従って、放送波と通信回線を利用した新たなサービスを享受することができる。
【０１２４】
次に、コンテンツ送信装置１（１Ａ〜１Ｃ）、コンテンツ受信携帯端末２１（２１Ａ〜２１Ｅ）の各動作について、図９〜図１６に示すフローチャートを参照して説明する。
【０１２５】
（コンテンツ送信装置（第一実施形態）の動作）
始めにコンテンツ送信装置１（１Ａ）の動作を図９に示すフローチャートを参照して説明する（適宜、図１参照）。
【０１２６】
まず、コンテンツ送信装置１（１Ａ）は、入力されたコンテンツを放送エンコーダ３ａによってエンコード（符号化）し（Ｓ１）、識別信号多重手段５によって、エンコードしたコンテンツに識別信号を多重する（Ｓ２）。
【０１２７】
続いて、コンテンツ送信装置１（１Ａ）は、放送波送信部３ｂによって、識別信号を多重した符号化コンテンツを変調して、放送アンテナ３ｃから放送波として出力する（Ｓ３）。そして、コンテンツ送信装置１（１Ａ）は、通信信号送受信手段７の通信信号制御部７ｄによって、受信側のコンテンツ受信携帯端末２１からの要求信号を受信したか否かを判定し（Ｓ４）、要求信号を受信したと判定されるまで待機し（Ｓ４、Ｎｏ）、要求信号を受信したと判定した場合（Ｓ４、Ｙｅｓ）、放送デコーダ有効化信号生成手段９の放送デコーダ有効化信号生成部９ａによって放送デコーダ有効化信号を生成する（Ｓ５）。
【０１２８】
そして、コンテンツ送信装置１（１Ａ）は、放送デコーダ有効化信号生成手段９の放送デコーダ有効化信号出力部９ｂによって、放送デコーダ有効化信号を、通信信号送受信手段７に出力し（Ｓ６）、通信信号送受信手段７によって、放送デコーダ有効化信号を送信する（Ｓ７）。
【０１２９】
（コンテンツ送信装置（第二実施形態）の動作）
次に、コンテンツ送信装置１（１Ｂ）の動作を図１０に示すフローチャートを参照して説明する（適宜、図２参照）。
【０１３０】
まず、コンテンツ送信装置１（１Ｂ）は、入力されたコンテンツを放送エンコーダ３ａによってエンコード（符号化）し（Ｓ１１）、放送スクランブラ３ｄによって、スクランブル鍵生成手段１１で生成されたスクランブル鍵を使用して、エンコードされたコンテンツにスクランブル（暗号化処理）を施して、識別信号多重手段５によって、スクランブルコンテンツに識別信号を多重する（Ｓ１２）。
【０１３１】
続いて、コンテンツ送信装置１（１Ｂ）は、放送波送信部３ｂによって、識別信号を多重したスクランブルコンテンツを変調して、放送アンテナ３ｃから放送波として出力する（Ｓ１３）。そして、コンテンツ送信装置１（１Ｂ）は、通信信号送受信手段７の通信信号制御部７ｄによって、受信側のコンテンツ受信携帯端末２１からの要求信号を受信したか否かを判定し（Ｓ１４）、要求信号を受信したと判定されるまで待機し（Ｓ１４、Ｎｏ）、要求信号を受信したと判定した場合（Ｓ１４、Ｙｅｓ）、スクランブル鍵生成手段１１のスクランブル鍵生成部１１ａによってスクランブル鍵関連信号を生成する（Ｓ１５）。
【０１３２】
そして、コンテンツ送信装置１（１Ｂ）は、スクランブル鍵生成手段１１のスクランブル鍵出力部１１ｄによって、スクランブル鍵関連信号を、通信信号送受信手段７に出力し（Ｓ１６）、通信信号送受信手段７によって、スクランブル鍵関連信号を送信する（Ｓ１７）。
【０１３３】
（コンテンツ送信装置（第三実施形態）の動作）
次に、コンテンツ送信装置１（１Ｃ）の動作を図１１に示すフローチャートを参照して説明する（適宜、図３参照）。
【０１３４】
まず、コンテンツ送信装置１（１Ｃ）は、入力されたコンテンツを放送エンコーダ３ａによってエンコード（符号化）し（Ｓ２１）、識別信号多重手段５によって、スクランブルコンテンツに識別信号を多重する（Ｓ２２）。
【０１３５】
続いて、コンテンツ送信装置１（１Ｃ）は、放送波送信部３ｂによって、識別信号を多重した符号化コンテンツを変調して、放送アンテナ３ｃから放送波として出力する（Ｓ２３）。そして、コンテンツ送信装置１（１Ｃ）は、通信信号送受信手段７の通信信号制御部７ｄによって、受信側のコンテンツ受信携帯端末２１からのコンテンツ受信信号を受信したか否かを判定し（Ｓ２４）、コンテンツ受信信号を受信したと判定されるまで待機し（Ｓ２４、Ｎｏ）、コンテンツ受信信号を受信したと判定した場合（Ｓ２４、Ｙｅｓ）、コンテンツ受信記録として、コンテンツ受信記録蓄積手段１３に蓄積する（Ｓ２５）。
【０１３６】
そして、コンテンツ送信装置１（１Ｃ）は、視聴料金算出手段１５によって、視聴料金を算出し（Ｓ２６）、この算出した視聴料金を当該装置１（１Ｃ）の外部に、または、通知信号として通信信号送受信手段７からコンテンツ受信携帯端末２１に送信する（Ｓ２７）。
【０１３７】
（コンテンツ受信携帯端末（第一実施形態）の動作）
次に、コンテンツ受信携帯端末２１（２１Ａ）の動作を図１２に示すフローチャートを参照して説明する（適宜、図４参照）。
【０１３８】
まず、コンテンツ受信携帯端末２１（２１Ａ）は、当該端末２１（２１Ａ）の利用者が操作した操作手段２３から出力された操作信号に従って、放送波受信出力手段３１の放送デコーダ３１ｅを有効に機能させるために、通信信号送受信手段２７から、放送デコーダ有効化信号を要求する要求信号を、コンテンツ送信装置１に送信する（Ｓ３１）。そして、送信側のコンテンツ送信装置１から送信された放送デコーダ有効化信号を、コンテンツ受信携帯端末２１（２１Ａ）は通信信号送受信手段２７によって受信する（Ｓ３２）。
【０１３９】
そして、コンテンツ受信携帯端末２１（２１Ａ）は、受信契約判定部２９の受信契約判定部２９ａによって、送信された放送デコーダ有効化信号に含まれている受信契約情報に規定されているコンテンツのコンテンツ識別子と、現在受信しているコンテンツのコンテンツ識別子とを比較判定し、一致した場合に放送デコーダ有効化スイッチ３１ｄを起動させる起動信号を放送波受信出力手段３１に出力する。
【０１４０】
すると、放送デコーダ３１ｅが起動して（Ｓ３３）、コンテンツ受信携帯端末２１（２１Ａ）は、映像音声出力手段３３によって、コンテンツを出力（表示出力）する（Ｓ３４）。
【０１４１】
（コンテンツ受信携帯端末（第二実施形態）の動作）
次に、コンテンツ受信携帯端末２１（２１Ｂ）の動作を図１３に示すフローチャートを参照して説明する（適宜、図５参照）。
【０１４２】
まず、コンテンツ受信携帯端末２１（２１Ｂ）は、当該端末２１（２１Ｂ）の利用者が操作した操作手段２３から出力された操作信号に従って、スクランブルコンテンツをデスクランブルするスクランブル鍵関連信号を取得するために、通信信号送受信手段２７から、スクランブル鍵関連信号を要求する要求信号を、コンテンツ送信装置１に送信する（Ｓ４１）。そして、送信側のコンテンツ送信装置１から送信されたスクランブル鍵関連信号を、コンテンツ受信携帯端末２１（２１Ｂ）は通信信号送受信手段２７によって受信する（Ｓ４２）。
【０１４３】
そして、コンテンツ受信携帯端末２１（２１Ｂ）は、受信契約判定部２９の受信契約判定部２９ａによって、送信されたスクランブル鍵関連信号に含まれている受信契約情報に規定されているコンテンツのコンテンツ識別子と、現在受信しているスクランブルコンテンツのコンテンツ識別子とを比較判定し、一致した場合にスクランブル鍵を放送波受信出力手段３１Ｂの放送デスクランブラ３１ｆに出力する。
【０１４４】
すると、コンテンツ受信携帯端末２１（２１Ｂ）は、放送波受信出力手段３１Ｂの放送デスクランブラ３１ｆによって、受信しているコンテンツ（スクランブルコンテンツ）のスクランブルを解除し（Ｓ４３）、映像音声出力手段３３によって、コンテンツを出力（表示出力）する（Ｓ４４）。
【０１４５】
（コンテンツ受信携帯端末（第三実施形態）の動作）
次に、コンテンツ受信携帯端末２１（２１Ｃ）の動作を図１４に示すフローチャートを参照して説明する（適宜、図６参照）。
【０１４６】
まず、コンテンツ受信携帯端末２１（２１Ｃ）は、当該端末２１（２１Ｃ）の利用者が操作した操作手段２３から出力された操作信号に従って、放送波受信出力手段３１Ｃで受信しているコンテンツを、映像音声出力手段３３に出力させる（Ｓ５１）。
【０１４７】
そして、コンテンツ受信携帯端末２１（２１Ｃ）は、当該端末２１（２１Ｃ）の利用者がコンテンツを視聴し始めて一定時間経過したか否かをコンテンツ受信通知手段３５によって監視し（Ｓ５２）、一定時間経過するまで待機する（Ｓ５２、Ｎｏ）。その後、コンテンツ受信携帯端末２１（２１Ｃ）は、一定時間経過したと判定した場合（Ｓ５２、Ｙｅｓ）、コンテンツ受信通知手段３５は、コンテンツ受信信号を生成し、通信信号送受信手段２７の通信信号送信部２７ｃからコンテンツ受信信号を送信する（Ｓ５３）。
【０１４８】
（コンテンツ受信携帯端末（第四実施形態）の動作）
次に、コンテンツ受信携帯端末２１（２１Ｄ）の動作を図１５に示すフローチャートを参照して説明する（適宜、図７参照）。なお、この動作の説明は、図示を省略した記憶部に記憶されている「ブロードキャストアプリケーション」を起動し、映像音声出力手段３３にメニュー画面を表示させた場合のものである。
【０１４９】
まず、コンテンツ受信携帯端末２１（２１Ｄ）は、当該端末２１（２１Ｄ）の利用者が操作した操作手段２３から出力された操作信号に従って、図示を省略した記憶部に記憶されているアプリケーションである「ブロードキャストアプリケーション」（ブロードキャストアプリ）を起動させる（Ｓ６１）。
【０１５０】
すると、コンテンツ受信携帯端末２１（２１Ｄ）の映像音声出力手段３３の表示画面には、視聴可能なコンテンツを一覧表として示したメニュー（メニュー画面）が表示され、このメニュー画面から、当該端末２１（２１Ｄ）の利用者は、視聴したいコンテンツを選択する（Ｓ６２）。
【０１５１】
そして、コンテンツ受信携帯端末２１（２１Ｄ）では、受信契約情報保持部３７に保持されている受信契約情報に規定されているコンテンツのコンテンツ識別子と、現在受信しているコンテンツのコンテンツ識別子とが照合され、一致した場合には、放送デコーダ３１ｅが起動される（Ｓ６３）。そして、コンテンツ受信携帯端末２１（２１Ｄ）は、映像音声出力手段３３に受信したコンテンツを出力する（Ｓ６４）。
【０１５２】
（コンテンツ受信携帯端末（第五実施形態）の動作）
次に、コンテンツ受信携帯端末２１（２１Ｅ）の動作を図１６に示すフローチャートを参照して説明する（適宜、図８参照）。なお、この動作の説明は、図示を省略した記憶部に記憶されている「ブロードキャストアプリケーション」を起動し、映像音声出力手段３３にメニュー画面を表示させた場合のものである。
【０１５３】
まず、コンテンツ受信携帯端末２１（２１Ｅ）は、当該端末２１（２１Ｅ）の利用者が操作した操作手段２３から出力された操作信号に従って、図示を省略した記憶部に記憶されているアプリケーションである「ブロードキャストアプリケーション」（ブロードキャストアプリ）を起動させる（Ｓ７１）。
【０１５４】
すると、コンテンツ受信携帯端末２１（２１Ｅ）の映像音声出力手段３３の表示画面には、視聴可能なコンテンツを一覧表として示したメニュー（メニュー画面）が表示され、このメニュー画面から、当該端末２１（２１Ｅ）の利用者は、視聴したいコンテンツを選択する（Ｓ７２）。
【０１５５】
そして、コンテンツ受信携帯端末２１（２１Ｅ）は、スクランブル鍵関連情報記憶手段３９に記憶されているスクランブル鍵関連情報に含まれている受信契約情報に規定されているコンテンツのコンテンツ識別子と、現在受信しているコンテンツのコンテンツ識別子とを照合し、一致した場合には、スクランブル鍵関連情報に含まれているスクランブル鍵を放送デスクランブラ３１ｆに出力する（Ｓ７３）。そして、コンテンツ受信携帯端末２１（２１Ｅ）は、放送波受信出力手段３１Ｅの放送デスクランブラ３１ｆによって、コンテンツ（スクランブルコンテンツ）のスクランブルを解除し（Ｓ７４）、映像音声出力手段３３にコンテンツを出力する（Ｓ７５）。
【０１５６】
以上、本発明の実施形態について説明したが、本発明は前記実施形態には限定されない。例えば、コンテンツ受信携帯端末２１の各構成の処理を一つずつの情報処理過程と捉えたコンテンツ受信方法とみなすことも可能であり、コンテンツ受信携帯端末２１の各構成の処理を汎用的なコンピュータ言語で記述して、携帯端末を起動させるコンテンツ受信プログラムとみなすことも可能である。これらの場合、コンテンツ受信携帯端末２１と同様の効果を得ることができる。
【図面の簡単な説明】
【０１５７】
【図１】実施形態に係るコンテンツ送信装置（第一実施形態）のブロック図である。
【図２】実施形態に係るコンテンツ送信装置（第二実施形態）のブロック図である。
【図３】実施形態に係るコンテンツ送信装置（第三実施形態）のブロック図である。
【図４】実施形態に係るコンテンツ受信携帯端末（第一実施形態）のブロック図である。
【図５】実施形態に係るコンテンツ受信携帯端末（第二実施形態）のブロック図である。
【図６】実施形態に係るコンテンツ受信携帯端末（第三実施形態）のブロック図である。
【図７】実施形態に係るコンテンツ受信携帯端末（第四実施形態）のブロック図である。
【図８】実施形態に係るコンテンツ受信携帯端末（第五実施形態）のブロック図である。
【図９】図１に示したコンテンツ送信装置（第一実施形態）の動作を説明したフローチャートである。
【図１０】図２に示したコンテンツ送信装置（第二実施形態）の動作を説明したフローチャートである。
【図１１】図３に示したコンテンツ送信装置（第三実施形態）の動作を説明したフローチャートである。
【図１２】図４に示したコンテンツ受信携帯端末（第一実施形態）の動作を説明したフローチャートである。
【図１３】図５に示したコンテンツ受信携帯端末（第二実施形態）の動作を説明したフローチャートである。
【図１４】図６に示したコンテンツ受信携帯端末（第三実施形態）の動作を説明したフローチャートである。
【図１５】図７に示したコンテンツ受信携帯端末（第四実施形態）の動作を説明したフローチャートである。
【図１６】図８に示したコンテンツ受信携帯端末（第五実施形態）の動作を説明したフローチャートである。
【符号の説明】
【０１５８】
１（１Ａ、１Ｂ、１Ｃ）          コンテンツ送信装置
３                              放送波送信手段
５                              識別信号多重手段
７、２７                        通信信号送受信手段
９                              放送デコーダ有効化信号生成手段
１１                            スクランブル鍵生成手段
１３                            コンテンツ受信記録蓄積手段
１５                            視聴料金算出手段
２１（２１Ａ〜２１Ｅ）          コンテンツ受信携帯端末
２３                            操作手段
２５                            映像音声入力手段
２９                            受信契約保持判定手段
３１                            放送波受信出力手段
３３                            映像音声出力手段
３５                            コンテンツ受信通知手段
３７                            受信契約情報保持手段
３９                            スクランブル鍵関連情報記憶手段
【図１】
2005159457.tif 000003
【図２】
2005159457.tif 000004
【図３】
2005159457.tif 000005
【図４】
2005159457.tif 000006
【図５】
2005159457.tif 000007
【図６】
2005159457.tif 000008
【図７】
2005159457.tif 000009
【図８】
2005159457.tif 000010
【図９】
2005159457.tif 000011
【図１０】
2005159457.tif 000012
【図１１】
2005159457.tif 000013
【図１２】
2005159457.tif 000014
【図１３】
2005159457.tif 000015
【図１４】
2005159457.tif 000016
【図１５】
2005159457.tif 000017
【図１６】
2005159457.tif 000018